(57)【要約】【課題】ＰＤＰの初期化（リセット）のための駆動方法を改善して、表示の不具合を低減させる。【解決手段】交互に配設されたＸ電極及びＹ電極と、それらの電極に交差するＡ電極とを有するＰＤＰに対して、初期化期間と、アドレス期間と、サステイン期間とを循環的に設け、初期化期間に鈍波波形を印加して駆動するに際し、Ｘ電極及びＹ電極間とＡ電極及びＹ電極間との放電開始閾値電圧をそれぞれＶｔＸＹ　及びＶｔＡＹ　とし、鈍波波形の終端部分におけるＸ電極及び前記Ｙ電極間とＡ電極及び前記Ｙ電極間との印加電圧をそれぞれＶＸＹ及びＶＡＹとし、かつサステイン期間の末尾部分におけるＡ電極及び前記Ｙ電極間のオフセット電圧をＶａｏｆｆとするとき、２ＶｔＡＹ　−ＶｔＸＹ　≦２ＶＡＹ−ＶＸＹ−２Ｖａｏｆｆ、の関係式を満たすように各電極の駆動波形の電圧を設定することを特徴とするプラズマディスプレイパネルの駆動方法。【選択図】　図１７
2004077644.tif 000002
【特許請求の範囲】
【請求項１】
基板上に配設された複数のＹ電極と、前記複数のＹ電極の各々の電極間に配設された複数のＸ電極と、それらの電極と交差する複数のＡ電極とを有するプラズマディスプレイパネルに対して、
前記Ｙ電極と前記Ｘ電極との間で初期化放電を行うための初期化期間と、前記Ｙ電極と前記Ａ電極との間でアドレス放電を行うためのアドレス期間と、前記Ｙ電極と前記Ｘ電極との間で維持放電を行うためのサステイン期間とを循環的に設けるとともに、前記初期化期間に少なくとも一つの鈍波波形を印加して駆動するに際し、
前記Ｙ電極を陰極とするときの前記Ｘ電極及び前記Ｙ電極間の放電開始閾値電圧と、前記Ａ電極及び前記Ｙ電極間の放電開始閾値電圧とを、それぞれＶｔＸＹ　及びＶｔＡＹ　とし、しかも
前記初期化期間末尾の鈍波波形の終端部分において、前記Ｙ電極を基準とする前記Ｘ電極及び前記Ｙ電極間の印加電圧と、前記Ａ電極及び前記Ｙ電極間の印加電圧とを、それぞれＶＸＹ及びＶＡＹとし、かつ
前記サステイン期間の末尾部分において、前記Ｙ電極を基準とする前記Ａ電極及び前記Ｙ電極間の印加電圧のオフセット電圧をＶａｏｆｆとするとき、
２ＶｔＡＹ　−ＶｔＸＹ　≦２ＶＡＹ−ＶＸＹ−２Ｖａｏｆｆ
の関係式を満たすように、各電極の駆動波形の電圧を設定する
ことを特徴とするプラズマディスプレイパネルの駆動方法。
【請求項２】
前記サステイン期間において前記オフセット電圧Ｖａｏｆｆが２種類以上ある駆動波形を用いる場合に、
前記サステイン期間の末尾部分において前記関係式を満たすように、前記駆動波形の電圧を設定して駆動する
請求項１記載のプラズマディスプレイパネルの駆動方法。
【請求項３】
前記サステイン期間において、前記Ａ電極及び前記Ｙ電極間に印加する駆動波形として少なくとも２種類以上の振幅の交番電圧を有する駆動波形を用いる場合に、
前記サステイン期間の末尾部分において前記関係式を満たすように、前記駆動波形の電圧を設定して駆動する
請求項１記載のプラズマディスプレイパネルの駆動方法。
【請求項４】
前記Ａ電極を陰極とするときの前記Ｘ電極及び前記Ａ電極間の放電開始閾値電圧と、前記Ｙ電極及び前記Ａ電極間の放電開始閾値電圧とを、それぞれＶｔＸＡ　及びＶｔＹＡ　とし、しかも
前記Ｘ電極を陰極とするときの前記Ａ電極及び前記Ｘ電極間の放電開始閾値電圧と、前記Ｙ電極及び前記Ｘ電極間の放電開始閾値電圧とを、それぞれＶｔＡＸ　及びＶｔＹＸ　とする場合に、
ＶｔＡＹ　＋ＶｔＸＡ　−ＶｔＸＹ　＞０、または
ＶｔＹＡ　＋ＶｔＡＸ　−ＶｔＹＸ　＞０
の関係式を満たすように構成した前記プラズマディスプレイパネルを用いる
請求項１に記載のプラズマディスプレイパネルの駆動方法。
【請求項５】
基板上に配設された複数のＹ電極と、前記複数のＹ電極の各々の電極間に配設された複数のＸ電極と、それらの電極と交差する複数のＡ電極とを有するプラズマディスプレイパネルに対して、初期化期間と、アドレス期間と、サステイン期間とを循環的に設けるとともに、前記初期化期間に鈍波波形を印加して駆動するに際し、
前記サステイン期間に前記Ｘ電極及び前記Ｙ電極のそれぞれに印加するサステインパルスは、その期間の少なくとも前側において所定の基準電位の両側に振動する交番パルスを含み、その期間の末尾部分において前記基準電位から正電圧側に印加されるパルスを含む
ことを特徴とするプラズマディスプレイパネルの駆動方法。
【請求項６】
基板上に配設された複数のＹ電極と、前記複数のＹ電極の各々の電極間に配設された複数のＸ電極と、それらの電極と交差する複数のＡ電極とを有するプラズマディスプレイパネルに対して、初期化期間と、アドレス期間と、サステイン期間とを循環的に設けるとともに、前記初期化期間に鈍波波形を印加して駆動するに際し、
前記サステイン期間に前記Ａ電極に印加する波形は、その期間の少なくとも末尾部分において、所定の基準電位から負電圧側に印加した定電圧波形を含む
ことを特徴とするプラズマディスプレイパネルの駆動方法。
【請求項７】
前記Ａ電極に印加する波形は、前記サステイン期間の全てに渡って所定の基準電位から負電圧側に印加した定電圧波形とする
請求項６記載のプラズマディスプレイパネルの駆動方法。
【請求項８】
前記Ａ電極に印加する波形は、前記サステイン期間の少なくとも前側において所定の基準電位のレベルに設定した定電圧波形を含み、その期間の末尾部分において前記基準電位から負電圧側に印加した定電圧波形を含む
請求項６記載のプラズマディスプレイパネルの駆動方法。
【請求項９】
前記基準電位をグランドレベルとし、
前記サステイン期間に前記Ｘ電極及び前記Ｙ電極のそれぞれに印加するサステインパルスは、グランドレベルの両側に振動する交番パルスである
請求項７または８のいずれかに記載のプラズマディスプレイパネルの駆動方法。
【請求項１０】
前記基準電位をグランドレベルとし、
前記サステイン期間に前記Ｘ電極及び前記Ｙ電極のそれぞれに印加するサステインパルスは、グランドレベルから正電圧側に印加した交番パルスである
請求項７または８のいずれかに記載のプラズマディスプレイパネルの駆動方法。
【請求項１１】
基板上に配設された複数のＹ電極と、前記複数のＹ電極の各々の電極間に配設された複数のＸ電極と、それらの電極と交差する複数のＡ電極とを有するプラズマディスプレイパネルに対して、初期化期間と、アドレス期間と、サステイン期間とを循環的に設けるとともに、前記初期化期間に鈍波波形を印加して駆動するに際し、
前記サステイン期間に前記Ａ電極に印加する波形は、その期間の少なくとも前側において所定の基準電位から正電圧側に印加した定電圧波形を含み、その期間の末尾部分において前記基準電位のレベルの定電圧波形を含む
ことを特徴とするプラズマディスプレイパネルの駆動方法。
【請求項１２】
基板上に配設された複数のＹ電極と、前記複数のＹ電極の各々の電極間に配設された複数のＸ電極と、それらの電極と交差する複数のＡ電極とを有するプラズマディスプレイパネルに対して、初期化期間と、アドレス期間と、サステイン期間とを循環的に設けるとともに、前記初期化期間に鈍波波形を印加して駆動するに際し、
前記初期化期間に前記Ａ電極に印加する波形は、その期間の末尾部分において所定の基準電位から正電圧側に印加した定電圧波形を含む
ことを特徴とするプラズマディスプレイパネルの駆動方法。
【請求項１３】
前記初期化期間において、前記Ｘ電極またはＹ電極の少なくとも一方に印加する鈍波波形は、正の傾斜部を持つ第１鈍波と負の傾斜部を持つ第２鈍波とを含む
請求項１、５、６、１１または１２のいずれかに記載のプラズマディスプレイパネルの駆動方法。
【請求項１４】
前記初期化期間において、前記Ｙ電極に対して前記第１鈍波と前記第２鈍波とを含む波形を印加するとともに、前記Ｘ電極に対して前記第１鈍波と前記第２鈍波とのそれぞれに対応して各々の逆極性となる定電圧を印加する
請求項１３記載のプラズマディスプレイパネルの駆動方法。
【請求項１５】
基板上に配設された複数のＹ電極と、前記複数のＹ電極の各々の電極間に配設された複数のＸ電極と、それらの電極と交差する複数のＡ電極とを有するプラズマディスプレイパネルに対して、初期化期間と、アドレス期間と、サステイン期間とを循環的に設けるとともに、前記初期化期間に鈍波波形を印加して駆動するに際し、
前記初期化期間の末尾部分の前記Ａ電極及び前記Ｙ電極間の電圧と、前記末尾部分の前記Ｘ電極及び前記Ｙ電極間の電圧と、前記サステイン期間の末尾部分の前記Ａ電極及び前記Ｙ電極間の印加電圧のオフセット電圧との３種類の電圧の内の少なくとも１種類の電圧を所定のレベルに設定して、
前記初期化期間の末尾部分において、前記Ｘ電極及び前記Ｙ電極間の放電と、前記Ａ電極及び前記Ｙ電極間の放電との２種類の放電を共に発生させる
ことを特徴とするプラズマディスプレイパネルの駆動方法。
【発明の詳細な説明】
【０００１】
【発明の属する技術分野】
本発明はプラズマディスプレイパネルの駆動方法に係り、特に、初期化（リセット）のための駆動方法の改善に関するものである。
【０００２】
【従来の技術】
図１にプラズマディスプレイパネル（以下ＰＤＰと称する）の構造を示す。
【０００３】
ＰＤＰは、前面・背面の二枚の基板１０，２０を貼りあわせて作製する。前面基板１０には、二本一組の表示電極（Ｘ電極１１とＹ電極１２）が複数本設けられている。誘電体層１３がこれらの電極を覆い、さらにＭｇＯ等の保護膜１４が上記誘電体層１３を覆っている。
【０００４】
背面基板２０の上には、アドレス電極（Ａ電極２１）が複数本設けられており、誘電体層２３が上記Ａ電極２１を覆っている。隣接するＡ電極２１の間には、放電空間を仕切る隔壁（リブ）２５が設けられており、各領域に赤・緑・青の蛍光体２６Ｒ，２６Ｇ，２６Ｂが塗布されている。
【０００５】
上記前面基板１０と背面基板２０とは、Ａ電極２１と、Ｘ電極１１及びＹ電極１２とが交差するように貼り合わされる。このときＡ電極２１の一本と、Ｘ電極１１及びＹ電極１２の組みとが交差する領域に、一つのセルを構成する。隣接する赤・緑・青の三つのセルでＰＤＰの一つの画素を構成する。
【０００６】
次に図２を用いて、ＰＤＰを表示する駆動方法を説明する。ＰＤＰでは１フィールドを異なる発光期間の複数サブフィールドに分割して階調表示を行う。図は２８　階調（即ち２５６階調、２８　＝２５６）の制御を説明している。一つのサブフィールド（以下ＳＦと称する）は、初期化期間・アドレス期間・サステイン期間（発光期間）の三つの期間から成る。
【０００７】
各ＳＦの発光期間を、比率が１，２，４，８，１６，３２，６４，１２８またはそれに近い値になるように構成する。例えば階調レベル１０を表示したい場合、重み２のＳＦ２と重み８のＳＦ４とを点灯させ、残りのＳＦは全て点灯させない。
【０００８】
次に、ＰＤＰの一つのＳＦ内の動作を説明する。前述したように１ＳＦは、初期化期間・アドレス期間・サステイン期間から成る。初期化期間では、全てのセルの帯電状態（壁電荷）を一定の状態にする。アドレス期間では、表示させたいセルに対して選択的な書込放電または消去放電を行う。選択的な書込放電または消去放電によってセルの帯電状態が変化する。帯電状態が変化したセルだけがサステイン期間のサステインパルスによって維持放電を行う。
【０００９】
図３は各電極に印加する電圧波形である。Ａ電極群とＹ電極群に選択的に駆動波形を印加するアドレス期間の部分を除いて、即ち初期化期間及びサステイン期間においては、それぞれの電極群に共通の波形を印加する。一方、アドレス期間において、Ａ電極一本一本には表示データに応じたデータパルス（アドレスパルスとも言う）Ａ（１）〜Ａ（ｎ）が加わり、Ｙ電極一本一本にはライン選択を行うために時間的に分離したスキャンパルスＳｃＰ１〜ＳｃＰｎを印加する。また、初期化期間では、Ｙ電極に印加電圧が徐々に増大する波形（正鈍波）ＲＰａと印加電圧が徐々に減少する波形（負鈍波）ＲＰｂとが印加される。
【００１０】
図４は初期化の基本的な動作を説明する図である。初期化波形には、正鈍波と負鈍波を組み合わせた波形が用いられる。ここではまず原理を簡単に説明するために、α電極とβ電極の二つの電極間の初期化動作について述べる。ここで言うα電極とβ電極とは、Ｘ電極・Ｙ電極・Ａ電極の中の二つの電極を意味するものである。そして「αβ電極間に印加する電圧（又は「αβ間印加電圧」）」とは、電極αと電極βの間に印加する電圧（電極間の差電圧）であり、しかもβ電極を基準としたときのα電極の電位（相対値）を示すものとする（以下同様）。そして、図３の初期化期間の波形におけるＸＹ電極間またはＡＹ電極間の電圧波形の一方をαβ電極間の電圧波形としたものが、図４の波形に相当する。
【００１１】
図４において、αβ電極間には最初に振幅−ＶＲ１（振幅に符号を付けて表示）（以下同様）の負の鈍波と、次に振幅ＶＲ２の正の鈍波を印加する。実線は電極間印加電圧を表し、点線、破線及び一点鎖線は、セルの帯電状態を表す電圧（壁電圧）でその符号を反転させたものを表している。初期化とは、以前の点灯状態（又は非点灯状態）がいかなるものであっても、それらが同じ状態になるようにセルの状態を設定することである。そこで、初期化動作を考えるには、前のＳＦが終了したときの状態から検討する必要がある。前ＳＦでセルが点灯していたときの壁電圧（以下、「点灯セル」の壁電圧と称する）を破線で表し、前ＳＦでセルが消灯していたときの壁電圧（以下、「消灯セル」の壁電圧と称する）を点線で示す。
【００１２】
セルの放電空間に掛かる実効的な電圧（以下「セル電圧」と称する）は、壁電荷の帯電による電圧成分（壁電圧）が印加電圧成分に加わるので、
セル電圧＝印加電圧＋壁電圧
となる。壁電圧の符号を反転してあるので、この図では点線（または破線や一点鎖線）と実線で挟まれた長さがセル電圧に対応する（以下同様）。実線が上で点線（または破線や一点鎖線）が下の場合はセル電圧が正のときであり、実線が下で点線（または破線や一点鎖線）が上の場合はセル電圧が負のときである。例えば、図４では、前半の負鈍波印加時のセル電圧は負、後半の正鈍波印加時のセル電圧は正となっている。
【００１３】
リセット（初期化）に入る前（時刻ｔ０　）で、点灯・消灯の両セルの壁電圧はどちらも負であるものとする（符号が反転しているので、０Ｖより上にある点線・破線は負の壁電圧を表す）。そして、点灯セルの方がより強く負の壁電圧状態になっているものとする。両セルに負の印加電圧が徐々に加わり、負のセル電圧の絶対値がどんどん大きくなっていく。点灯セルの方がより強く負に帯電しているので、点灯セルが消灯セルよりも先に時刻ｔ１　で放電する。この時刻ｔ１　において、点灯セルの放電（光）を示す波形は図４に示すように立ち上がる。いったん放電が始まると、セル電圧がα電極を陰極とする放電開始閾値電圧−Ｖｔ１（放電開始閾値電圧に符号を付けて表示）（以下同様）を保持するように、壁電圧が溜まっていく（以下、「放電開始閾値電圧を保持するように、壁電圧が”書きこまれる”」と表現する）。点灯セルが放電した少し後に消灯セルが時刻ｔ２　で放電を開始する。この時刻ｔ２　において、消灯セルの放電（光）を示す波形は図４に示すように立ち上がる。放電がいったん始まると、消灯セルのセル電圧もα電極を陰極とする放電開始閾値電圧−Ｖｔ１を保持するように、同じ値の壁電圧が書きこまれる。この場合の壁電圧を一点鎖線で示す。その後、時刻ｔａ　において、負鈍波の下降（電圧値の増大）が止まると、放電（光）を示す波形も０レベルに減少する。そして、時刻ｔ３　で負鈍波が終了する。このとき点灯セルの壁電圧も消灯セルの壁電圧も同じ電圧値−ＶＲ１＋Ｖｔ１に設定されている。
【００１４】
次に印加電圧の極性が反転し、今度は正鈍波が印加される。時刻ｔ３　で既に壁電圧は、点灯セルも消灯セルも同じ値に揃えられているので、二つのセルは同時刻ｔ４　で放電する。その後も放電は持続し、セル電圧は放電開始閾値電圧Ｖｔ２の値を保ったまま壁電圧が書込まれていく。放電（光）を示す波形は、時刻ｔ４　で、点灯セル及び消灯セル共に立ち上がり、正鈍波の上昇が止まる時刻ｔｂ　で共に０レベルに減少する。そして、正鈍波の終了時刻ｔ５　での壁電圧はＶＲ２−Ｖｔ２である。
【００１５】
放電開始閾値電圧Ｖｔ２は、二電極間の放電固有の定数であるので、正鈍波が終了した後の壁電圧は、印加電圧振幅ＶＲ２だけで決まることになる。
【００１６】
上記に説明した初期化（リセット）の基本原理を用いて、点灯セル・消灯セルの初期化が行われている。ただしここでは原理を説明するために、二つの電極の間（即ちαβ電極間）について説明した。実際のＰＤＰセルはＸ電極・Ｙ電極・Ａ電極からなる三種類の電極を持つので、動作はより複雑になる。
【００１７】
図５（ａ）は図３の初期化波形部分を抜き出したものである。初期化波形は前段と後段の二段から成っている。アドレス電極の電位は初期化期間中ゼロ電位に固定されている。Ｘ電極には前段で負のパルス（振幅−ＶＸ１の定電圧パルス）、後段では正のパルス（振幅ＶＸ２の定電圧パルス）が印加される。Ｙ電極には、前段で印加電圧が緩やかに増加する振幅ＶＹ１の波形（正鈍波）と、後段で印加電圧が緩やかに減少する振幅−ＶＹ２の波形（負鈍波）とが印加されている。
【００１８】
ＰＤＰの三電極（Ｘ電極・Ｙ電極・Ａ電極）それぞれの電極間における放電を考える場合、図５（ｂ）のようなＸＹ電極間とＡＹ電極間からなる２種類の「二つの電極間の電圧」を用いると便利である。いずれの場合もＹ電極（即ち、二つの電極を示す文字列の内の後側に表記した文字が示す電極）を基準にしたそれぞれの電極間の電圧を示すものとする（以下同様）。
【００１９】
前段は、ＸＹ電極間の印加電圧が緩やかに減少する振幅−（ＶＸ１＋ＶＹ１）の波形と、ＡＹ電極間の印加電圧が緩やかに減少する振幅−ＶＹ１の波形で構成され、後段は、ＸＹ電極間の印加電圧が緩やかに増加する振幅ＶＸ２＋ＶＹ２の波形と、ＡＹ電極間の印加電圧が緩やかに増加する振幅ＶＹ２の波形で構成される。
【００２０】
同図には壁電圧を点線で示し、その壁電圧の符号を反転させてプロットしてある（以下同様）。３種類の電極を持つＰＤＰの壁電圧は、ＸＹ電極間の壁電圧とＡＹ電極間の壁電圧の二つの壁電圧で表される。
【００２１】
ここで、ＸＹ電極間のセル電圧、ＸＹ電極間の印加電圧、ＸＹ電極間の壁電圧をそれぞれＸＹ間セル電圧、ＸＹ間印加電圧、ＸＹ間壁電圧と略称し、さらに、ＡＹ電極間のセル電圧、ＡＹ電極間の印加電圧、ＡＹ電極間の壁電圧をそれぞれ、ＡＹ間セル電圧、ＡＹ間印加電圧、ＡＹ間壁電圧と略称するものとする（以下同様）。
【００２２】
セルの放電空間に掛かる実効的な電圧（セル電圧）は、印加電圧と壁電圧との和であるので、
ＸＹ間セル電圧＝ＸＹ間印加電圧＋ＸＹ間壁電圧
ＡＹ間セル電圧＝ＡＹ間印加電圧＋ＡＹ間壁電圧
となる。図では壁電圧の符号を反転させてプロットしてあるので、点線と実線で挟まれた距離がセル電圧である。実線が点線より上の場合はセル電圧が正、実線が点線より下の場合はセル電圧が負となる。
【００２３】
ＰＤＰには３種類の電極があるので、ＸＹ及びＹＸの電極間、ＡＹ及びＹＡの電極間、ＡＸ及びＸＡの電極間の放電開始閾値電圧が存在する。具体的には次の６つである。
【００２４】
ＶｔＸＹ　：Ｙ電極を陰極とするＸＹ電極間の放電開始閾値電圧
（以下、ＸＹ間放電開始閾値電圧と称する）、
ＶｔＹＸ　：Ｘ電極を陰極とするＹＸ電極間の放電開始閾値電圧、
（以下、ＹＸ間放電開始閾値電圧と称する）、
ＶｔＡＹ　：Ｙ電極を陰極とするＡＹ電極間の放電開始閾値電圧、
（以下、ＡＹ間放電開始閾値電圧と称する）、
ＶｔＹＡ　：Ａ電極を陰極とするＹＡ電極間の放電開始閾値電圧、
（以下、ＹＡ間放電開始閾値電圧と称する）、
ＶｔＡＸ　：Ｘ電極を陰極とするＡＸ電極間の放電開始閾値電圧、
（以下、ＡＸ間放電開始閾値電圧と称する）、
ＶｔＸＡ　：Ａ電極を陰極とするＸＡ電極間の放電開始閾値電圧。
【００２５】
（以下、ＸＡ間放電開始閾値電圧と称する）。
図６に正常な初期化が行われている一例を示す。破線は、初期化に入る直前のＳＦでセルが点灯している場合の壁電圧、一点鎖線は非点灯の場合の壁電圧である。今、点灯セルの場合、初期化に入る直前ではＸＹ間壁電圧が負（符号が反転していることに注意）で、ＡＹ間壁電圧がゼロである。一方、非点灯セルの場合、初期化に入る直前のＸＹ間及びＡＹ間の壁電圧は共に正（符号が反転していることに注意）である。
【００２６】
前ＳＦでの「点灯セル」においては、時刻▲１▼でＸＹ間セル電圧がＸＹ間放電開始閾値電圧ＶｔＹＸ　を超えて放電が発生するため、その後ＸＹ間印加電圧の振幅が−ＶＸＹ１　、ＡＹ間印加電圧が−ＶＡＹ１　になるまで、ＸＹ間セル電圧が−ＶｔＹＸ　を保持するように壁電圧が書込まれていく。このときＡＹ間壁電圧も同時に変化するが、ＡＹ間壁電圧の変化はＡＹ間印加電圧の変化よりも小さいので、ＡＹ間セル電圧の絶対値は徐々に増加していく。しかしこの例では、前段部において、ＡＹ間セル電圧はＡＹ間放電開始閾値電圧を超えるところまで至っていないので放電が発生しないため、ＡＹ間セル電圧は揃えられない。前段終了時刻▲３▼では、ＸＹ間壁電圧だけが設定され、ＡＹ間壁電圧は設定されていない。
【００２７】
そして、後段に入る。ＸＹ間及びＡＹ間の印加電圧が上昇し、ＸＹ間及びＡＹ間のセル電圧も増加する。時刻▲４▼でＸＹ間セル電圧が放電開始閾値電圧ＶｔＸＹ　を超えるので放電が始まり、▲４▼以後はＸＹ間セル電圧がＶｔＸＹ　を保持するように、ＸＹ間壁電圧が書込まれていく。同時にＡＹ間壁電圧も書込まれるが、ＡＹ間壁電圧の変化がＡＹ間印加電圧の変化よりも小さいので、ＡＹ間セル電圧の絶対値は徐々に増加していく。時刻▲５▼でＡＹ間セル電圧はＡＹ間放電開始閾値電圧ＶｔＡＹ　を超えて放電が発生するため、ＡＹ間セル電圧が一定値ＶｔＡＹ　になるように、ＡＹ間壁電圧が書込まれる。したがって、初期化終了時刻▲７▼では、ＸＹ間及びＡＹ間の壁電圧の両方の値が設定されることになる。
【００２８】
次に、前ＳＦでの「非点灯セル（消灯セル）」について説明する。前段では時刻▲２▼でＸＹ間セル電圧がＸＹ間放電開始閾値電圧−ＶｔＹＸ　を超えて放電が始まる。ＸＹ間セル電圧はその後、前段のＸＹ間印加電圧が−ＶＸＹ１　、ＡＹ間印加電圧が−ＶＡＹ１　になるまで、ＸＹ間壁電圧が書込まれていく。ＡＹ間壁電圧も同時に変化するが、ＡＹ間壁電圧の変化がＡＹ間印加電圧の変化よりも小さいので、ＡＹ間セル電圧は徐々に増加していく。しかしこの例では、ＡＹ間セル電圧はＡＹ間放電開始閾値電圧を超えないので放電が発生しないため、ＡＹ間セル電圧は揃えられない。前段終了時刻▲３▼では、ＸＹ間壁電圧だけが設定され、ＡＹ間壁電圧は設定されていない。
【００２９】
そして、後段の動作に入る。ＸＹ間及びＡＹ間の印加電圧が上昇し、ＸＹ間及びＡＹ間のセル電圧が増加する。時刻▲４▼でＸＹ間セル電圧が最初に放電開始閾値電圧ＶｔＸＹ　を超えるので放電が始まり、▲４▼以後のＸＹ間セル電圧がＶｔＸＹ　を保持するように、ＸＹ間壁電圧が書込まれていく。同時にＡＹ間壁電圧が変化するが、ＡＹ間壁電圧の変化はＡＹ間印加電圧の変化よりも小さいので、ＡＹ間セル電圧は徐々に大きくなっていく。時刻▲６▼でＡＹ間セル電圧はＡＹ間放電開始閾値電圧ＶｔＡＹ　を超えて放電が発生するため、ＡＹ間セル電圧が一定値ＶｔＡＹ　になるように、ＡＹ間壁電圧が書込まれる。したがって、後段終了時刻▲７▼では、ＸＹ間及びＡＹ間の壁電圧の両方が設定される。
【００３０】
以上の説明のように、この例では、前ＳＦの点灯・非点灯にかかわらず、初期化が終了した時点では、ＸＹ間壁電圧及びＡＹ間壁電圧はそれぞれ同じ値に設定されている。
【００３１】
鈍波を使った初期化において重要なことは、初期化終了直前で、Ｙ電極を陰極としたＸＹ電極間の放電（以後、ＸＹ間放電と称する）及びＡＹ電極間の放電（以後、ＡＹ間放電と称する）の二つの放電が同時に起こるように駆動することである。一方、前段の鈍波では必ずしも二つの放電が同時に起こる必要はない。
【００３２】
以上説明した動作は、２００１年に国際会議（Ｓｏｃｉｅｔｙ　ｆｏｒ　Ｉｎｆｏｒｍａｔｉｏｎ　Ｄｉｓｐｌａｙ　）にて発表された、「セル電圧平面」と「放電開始閾値電圧閉曲線」を用いて幾何学的に解析することができる。（参照文献：”Ｈｉｇｈ−ｓｐｅｅｄ　Ａｄｄｒｅｓｓ　Ｄｒｉｖｉｎｇ　Ｗａｖｅｆｏｒｍ　Ａｎａｌｙｓｉｓ　Ｕｓｉｎｇ　Ｗａｌｌ　Ｖｏｌｔａｇｅ　Ｔｒａｎｓｆｅｒ　Ｆｕｎｃｔｉｏｎ　ｆｏｒ　Ｔｈｒｅｅ　Ｔｅｒｍｉｎａｌｓ　ａｎｄ　Ｖｔ　Ｃｌｏｓｅ　Ｃｕｒｖｅ　ｉｎ　Ｔｈｒｅｅ−Ｅｌｅｃｔｒｏｄｅ　Ｓｕｒｆａｃｅ−Ｄｉｓｃｈａｒｇｅ　ＡＣ−ＰＤＰｓ”，　ｐｐ．１０２２−１０２５，　ＳＩＤ　０１　ＤＩＧＥＳＴ，　２００１）
この「セル電圧平面」と「放電開始閾値電圧閉曲線」について、図７を参照して説明する。（なお、この図７などに関連する内容は、特開２００１−２４２８２５号公報に開示されている。）
セル電圧、壁電圧、印加電圧はそれぞれＸＹ電極及びＡＹ電極の組で表されることから、これらを二次元電圧ベクトルとして、セル電圧ベクトル（ＶＣＸＹ　，ＶＣＡＹ　）、壁電圧ベクトル（ＶＷＸＹ　，ＶＷＡＹ　）、印加電圧ベクトル（ＶａＸＹ　，ＶａＡＹ　）を用いて表すことにする。
【００３３】
次に、横軸にＸＹ間セル電圧ＶＣＸＹ　、縦軸にＡＹ間セル電圧ＶＣＡＹ　をとった座標平面を定義する。これを「セル電圧平面」と呼ぶことにする。三つのベクトルの関係がこの平面上では、点と矢印の関係になり、視覚的に表すことができる。
【００３４】
図７（ａ）の中に「セル電圧平面」と三つの電圧ベクトルの関係が示されている。
【００３５】
初期化動作では、放電開始閾値電圧が重要になるので、「セル電圧平面」上に放電開始閾値電圧の点をプロットする。これを「放電開始閾値電圧閉曲線（以下、Ｖｔ　閉曲線）」と呼ぶことにする。
【００３６】
図７（ｂ）に実測した「Ｖｔ　閉曲線」を示す。ＸＹ間放電開始閾値電圧部分が直線でなく、少し歪んだ形をしているが、比較的六角形に近い形をしている。以下「Ｖｔ　閉曲線」を六角形として近似して議論する。六角形の頂点は、二つの放電開始閾値電圧を同時に満たす点であり、初期化動作を考える上で重要である。六つの頂点において二つの放電が同時に起こることから、それらを「同時放電点」と呼ぶことにする。
【００３７】
次に、図８を用いて、鈍波印加時の放電によって変化する壁電圧ベクトルを「セル電圧平面」と「Ｖｔ　閉曲線」から求める方法を述べる。
【００３８】
今、鈍波を印加する前の壁電圧状態が図８（ａ）の０の点にあるとする。鈍波を印加すると、セル電圧は図中の符号１の点の方向に移動し、ＸＹ間放電開始閾値電圧ＶｔＸＹ　を超える。鈍波放電ではいったん閾値を超えると、セル電圧がその閾値を保持するように壁電圧が書込まれる。即ち、図８（ａ）において、壁電圧ベクトル１１’（点１と点１’とを結ぶベクトル）（以下同様）が書込まれる。鈍波の電圧絶対値が最大に達するまで放電は継続するので、ＸＹ間セル電圧はＸＹ間放電開始閾値電圧ＶｔＸＹ　近傍の値を保ちながら、ＡＹ間セル電圧が増加する。すなわち、図中の符号１、１’、２、２’、３、３’、・・・、５、５’のようにセル電圧点が移動する。印加電圧の微小増加を実線矢印、壁電圧の微小増加を点線矢印で表す。この壁電圧の微小変化量について考えてみよう。
【００３９】
いまＸＹ間放電が起こっているので、Ｘ電極とＹ電極の間を電荷が主に移動する。Ｘ電極に＋Ｑ、Ｙ電極に−Ｑの壁電荷の移動があったとすると、ＸＹ電極間で＋Ｑ−（−Ｑ）＝２Ｑ、ＡＹ電極間で０−（−Ｑ）＝Ｑの壁電荷が移動することになる。したがってＶＣＸＹ　、ＶＣＡＹ　を座標軸とする平面上ではＸＹ間放電によって書込まれる方向は傾き１／２になる。尚この傾きは、正確には壁電荷ではなく壁電圧から求めなければならず、ＰＤＰの電極を覆う誘電体層の形状や材質に依存するが、ほぼ１／２に近い値になる。
【００４０】
鈍波終了までに書込まれる壁電圧ベクトルは、図８（ｂ）のようにして計算できる。図８（ｂ）は、図８（ａ）の微小な印加電圧ベクトル変化の矢印の始点と終点をつなぎ合わせたものと、微小な壁電圧ベクトル変化の矢印の始点と終点とをつなぎあわせたものである。すなわちベクトル０５が加えた総印加電圧ベクトル、ベクトル５５’が書込まれた総壁電圧ベクトルになる。
【００４１】
初期壁電圧点０から総印加電圧ベクトルを加えた点５を求め、点５を通って傾き１／２の直線をひく。引いた直線と「Ｖｔ　閉曲線」との交点５’が移動後のセル電圧点であり、ベクトル５５’が書込まれた総壁電圧になる。以上のように、鈍波によって書込まれた総壁電圧ベクトルやセル電圧点などを幾何学的な関係から求めることができる。
【００４２】
以上は、あくまでも幾何学的な関係からセル電圧点を求めるものであり、図８（ｂ）の点５のようにセル電圧が非常に大きな値になるのではない。実際は図８（ａ）の点５のように「Ｖｔ　閉曲線」近傍のセル電圧点を移動している。
【００４３】
ＡＸ間及びＡＹ間の放電についても同様に解析することができる。図９にＸＹ間放電、ＡＹ間放電、ＡＸ間放電などが発生する時に書込まれる壁電圧ベクトルを示す。白丸が初期壁電圧、実線矢印が加えた印加電圧ベクトル、点線矢印が鈍波放電によって書きこまれた壁電圧ベクトル、黒丸は鈍波が終了した後の壁電圧点である。ＸＹ間放電は傾き１／２、ＡＹ間放電は傾き２、ＡＸ間放電は傾き−１　の方向に壁電圧ベクトルが書込まれる。なお、これらの傾きは、ＰＤＰの電極を覆う誘電体層の形状や材質に依存するが、ほぼ近い値になる。
【００４４】
図１０は図６の動作を解析したものである。同図（ａ）が点灯セル、同図（ｂ）が消灯セルの動作を示す。
【００４５】
図１０（ａ）の点灯セルは、初期化に入る前に点Ａにいる。図６の波形ではまず印加電圧が階段状に変化するので、セル電圧点は点Ｂに移動する。次に負鈍波が印加され、点Ｃで放電を開始し、壁電圧の書きこみが始まる。放電はＸＹ間放電なので、書きこまれる方向は傾き１／２の方向である。第一鈍波が終了した時点では、セル電圧は点Ｅにいる。第一鈍波から第二鈍波へ移る時点で、印加電圧が急激に変化するので、このときセル電圧点は点Ｆに移動する。次に第二鈍波が印加され、点Ｇで放電を開始し、壁電圧の書きこみが始まる。放電はＸＹ間放電なので、最初壁電圧は傾き１／２の方向に書きこまれる。そして放電開始後、セル電圧点は「Ｖｔ　閉曲線」に沿って上に移動することになる。これは、ＸＹ間セル電圧をＶｔＸＹ　に保ちながら、ＡＹ間セル電圧が増加していることに対応する。印加電圧が増加して、ＡＹ間セル電圧も増加し、ＡＹ間放電開始閾値電圧ＶｔＡＹ　になると、点ＩでＸＹ間及びＡＹ間の同時放電（この同時放電を、以後「ＸＹ・ＡＹ同時放電」と称する）が起こる。「ＸＹ・ＡＹ同時放電」が起こった後セル電圧点は点Ｉに固定され、印加電圧が増加しても壁電圧が書きこまれるだけで、セル電圧ベクトルは変化しなくなる。
【００４６】
次に、同図（ｂ）の消灯セルは、初期化に入る前に点Ｊにいる。図６の波形では最初に印加電圧が階段状に変化するので、セル電圧点は点Ｋに移動する。次に負の鈍波が印加され、点Ｌで放電を開始し、壁電圧の書きこみが始まる。放電はＸＹ間放電なので、書きこまれる方向は傾き１／２の方向である。第一鈍波が終了した時点では、セル電圧は点Ｎにいる。第一鈍波から第二鈍波へ移る時点で、印加電圧が急激に変化するので、このときセル電圧点は点Ｏに移動する。次に鈍波が印加され、点Ｐで放電を開始し、壁電圧の書きこみが始まる。放電はＸＹ間放電なので、最初壁電圧は傾き１／２の方向に書きこまれる。そして放電開始後、セル電圧点は「Ｖｔ　閉曲線」に沿って上に移動することになる。これは、ＸＹ間セル電圧をＶｔＸＹ　に保ちながら、ＡＹ間セル電圧が増加していることに対応する。印加電圧が増加して、ＡＹ間セル電圧も増加し、ＡＹ間放電開始閾値電圧ＶｔＡＹ　になると、点Ｒで「ＸＹ・ＡＹ同時放電」が起こる。同時放電が起こった後セル電圧点は点Ｒに固定され、印加電圧が増加しても壁電圧が書きこまれるだけで、セル電圧ベクトルは変化しなくなる。
【００４７】
初期化が正常に行われた場合、初期化が終了した直後のセル電圧点は、六角形である「Ｖｔ　閉曲線」の右上の頂点、すなわち「ＸＹ・ＡＹ同時放電」を表す点に設定される。この点を「同時初期化点」と呼ぶことにする。セル電圧が「同時初期化点」に来たときに、ＸＹ間壁電圧とＡＹ間壁電圧がそれぞれ同時に揃えられる。
【００４８】
【発明が解決しようとする課題】
初期化が正常に行われるかどうかは、初期化に入る前の壁電圧の値に大きく依存する。すなわち同じ初期化波形を用いても、以前の壁電圧の値によって初期化が正常に行われたり、行われなかったりする。さらに、初期化が正常に行われる壁電圧の範囲は、初期化波形の印加電圧振幅に大きく依存する。
【００４９】
図１１は図６と駆動波形は同じであるが、初期化に入る前のＡＹ間壁電圧の値が異なる場合を示してある。図６では点灯セルのＡＹ間壁電圧がゼロ、図１１では点灯セルのＡＹ間壁電圧が負（符号が反転していることに注意）である。
【００５０】
ここでは、点灯セルの動作（即ち、破線で示した壁電圧の振る舞い）についてだけ考えるものとする。
【００５１】
点灯セルでは、ＸＹ間セル電圧は時刻▲１▼でＸＹ間放電開始閾値電圧ＶｔＹＸ　を超え、その後ＸＹ間印加電圧振幅が−ＶＸＹ１　、ＡＹ間印加電圧が−ＶＡＹ１　になるまで、ＸＹ間セル電圧が−ＶｔＹＸ　を保持するように、ＸＹ間壁電圧が書込まれていく。このときＡＹ間壁電圧も同時に変化するが、ＡＹ間壁電圧の変化はＡＹ間印加電圧の変化よりも小さいので、ＡＹ間セル電圧の絶対値は徐々に増加していく。この例でも図６と同様に、前段部において、ＡＹ間セル電圧はＡＹ間放電開始閾値電圧を超えるところまで至っていないので、ＡＹ間セル電圧は揃えられない。前段終了時刻▲３▼では、ＸＹ間壁電圧だけが設定され、ＡＹ間壁電圧は設定されていない。
【００５２】
次に後段に入る。ＸＹ間及びＡＹ間の印加電圧が上昇し、ＸＹ間及びＡＹ間のセル電圧も増加する。時刻▲４▼でＸＹ間セル電圧が放電開始閾値電圧ＶｔＸＹ　を超えるので、▲４▼以後はＸＹ間セル電圧がＶｔＸＹ　を保持するように、ＸＹ間壁電圧が書込まれていく。同時にＡＹ間壁電圧も書込まれるが、ＡＹ間壁電圧の変化がＡＹ間印加電圧の変化よりも小さいので、ＡＹ間セル電圧の絶対値は徐々に増加していく。ただし、時刻▲５▼になっても、ＡＹ間セル電圧はＡＹ間放電開始閾値電圧ＶｔＡＹ　を超えることができないため、十分なＡＹ間壁電圧が書込まれない。したがって、初期化終了時刻▲６▼では、ＸＹ間壁電圧は設定されているが、ＡＹ間壁電圧は設定されていないことになる。
【００５３】
また、図３や図５に示すように、初期化期間の駆動波形では、Ｘ電極とＹ電極とにはそれぞれ図示したような正負の駆動波形が印加され、アドレス電極電位はゼロに固定されている。そのため、ＡＹ間印加電圧の振幅のほうがＸＹ間印加電圧の振幅よりも小さくなる。従って、ＡＹ間壁電圧を正常に初期化できる壁電圧の範囲が狭くなることにより、ＡＹ間壁電圧の初期化が正常に行われないことが多くなり、ＰＤＰの表示状態に不具合（例えば、余分点灯や点灯ミスなど）が生じるという問題があった。
【００５４】
上記の問題に鑑みて、本発明は、ＸＹ間及びＡＹ間のセル電圧及び壁電圧を適切に初期化して良好な初期化状態を実現することにより、初期化に起因したＰＤＰ表示状態の不具合を低減させる駆動方法の提供を目的とする。
【００５５】
【課題を解決するための手段】
上記の課題を解決するために、本願の第１グループの発明は、ＰＤＰの放電開始閾値電圧と駆動波形の印加電圧とが所定の関係になるように設定することにより、ＰＤＰの良好な初期化状態を実現する。（請求項１〜請求項４に対応）
先ず、請求項１記載のＰＤＰの駆動方法は、基板上に配設された複数のＹ電極と、複数のＹ電極の各々の電極間に配設された複数のＸ電極と、それらの電極と交差する複数のＡ電極とを有するプラズマディスプレイパネルに対して、Ｙ電極とＸ電極との間で初期化放電を行うための初期化期間と、Ｙ電極とＡ電極との間でアドレス放電を行うためのアドレス期間と、Ｙ電極とＸ電極との間で維持放電を行うためのサステイン期間とを循環的に設けるとともに、初期化期間に少なくとも一つの鈍波波形を印加して駆動するに際し、Ｙ電極を陰極とするときのＸ電極及びＹ電極間の放電開始閾値電圧と、Ａ電極及びＹ電極間の放電開始閾値電圧とを、それぞれＶｔＸＹ　及びＶｔＡＹ　とし、しかも初期化期間末尾の鈍波波形の終端部分において、Ｙ電極を基準とするＸ電極及びＹ電極間の印加電圧と、Ａ電極及びＹ電極間の印加電圧とを、それぞれＶＸＹ及びＶＡＹとし、かつサステイン期間の末尾部分において、Ｙ電極を基準とするＡ電極及びＹ電極間の印加電圧のオフセット電圧をＶａｏｆｆとするとき、「２ＶｔＡＹ　−ＶｔＸＹ　≦２ＶＡＹ−ＶＸＹ−２Ｖａｏｆｆ」の関係式を満たすように、各電極の駆動波形の電圧を設定することを特徴とする。
【００５６】
次に、請求項２記載の駆動方法は、サステイン期間においてオフセット電圧Ｖａｏｆｆが２種類以上ある駆動波形を用いる場合に、サステイン期間の末尾部分において請求項１記載の関係式を満たすように、駆動波形の電圧を設定して駆動することを特徴とする。
【００５７】
請求項３記載のＰＤＰの駆動方法は、サステイン期間においてＡ電極及びＹ電極間に印加する駆動波形として少なくとも２種類以上の振幅の交番電圧を有する駆動波形を用いる場合に、サステイン期間の末尾部分において請求項１記載の関係式を満たすように、駆動波形の電圧を設定して駆動することを特徴とする。
【００５８】
請求項４記載の駆動方法は、Ａ電極を陰極とするときのＸ電極及びＡ電極間の放電開始閾値電圧と、Ｙ電極及びＡ電極間の放電開始閾値電圧とを、それぞれＶｔＸＡ　及びＶｔＹＡ　とし、しかも　Ｘ電極を陰極とするときのＡ電極及びＸ電極間の放電開始閾値電圧と、Ｙ電極及びＸ電極間の放電開始閾値電圧とを、それぞれＶｔＡＸ　及びＶｔＹＸ　とする場合に、「ＶｔＡＹ　＋ＶｔＸＡ　−ＶｔＸＹ　＞０、またはＶｔＹＡ　＋ＶｔＡＸ　−ＶｔＹＸ　＞０」の関係式を満たすように構成したプラズマディスプレイパネルを用いることを特徴とする。
【００５９】
ここで、上記の第１グループの発明について、その内容の詳細を説明する。
同じ初期化波形を用いても、壁電圧の値によって初期化が正常に行われたり、行われなかったりする。初期化を正常に行う初期化波形を設計するためには、初期化に入る前の壁電圧状態と初期化波形の印加電圧値との関係を検討する必要がある。
【００６０】
最初に点灯セルの壁電圧の値について説明する。図１２に典型的な三つのサステイン波形を示す。同図（Ａ）に各電極（Ｘ電極、Ｙ電極、Ａ電極）に印加する波形、同図（Ｂ）にＸＹ間及びＡＹ間の印加電圧波形を示す。Ａ電極に加える電圧は全てゼロとした。一方、同図（ａ）はＸ電極とＹ電極に０から＋ＶＳ　の電圧の交番パルスを印加する場合、同図（ｂ）は±ＶＳ　／２の電圧の交番パルスを印加する場合、同図（ｃ）は０から−ＶＳ　の電圧の交番パルスを印加する場合である。電極間電圧でみると、同図（ａ）〜（ｃ）のＸＹ間印加電圧の波形は全く同じであり、ＡＹ間印加電圧の波形は振幅が同じで、オフセットだけ異なっている。
【００６１】
サステイン期間中には複数のパルス列が続くため、点灯セルは点灯定常状態に陥いる。この点灯定常状態が点灯セルの壁電圧値を表すことになる。同図（ａ）〜（ｃ）の壁電圧を見ると、それらのＸＹ間壁電圧は全く同じであり、ＡＹ間壁電圧は振幅が同じで、オフセットだけ異なっている。
【００６２】
図１３は図１２（ａ）〜（ｃ）の壁電圧値を「セル電圧平面」上にプロットしたものである。壁電圧はＸＹ間印加パルスの極性に応じて二つ存在する。サステイン動作時の二つの壁電圧点を結ぶと傾き１／２の直線が得られる。この直線の縦軸切片が図１　２のＡＹ間壁電圧のオフセットに相当する。以下これらの直線を「サステイン動作線」と呼ぶことにする。点灯セルの壁電圧は「サステイン動作線」上の左右に対称的に存在する二点のどちらかの点をとることになる。
【００６３】
次に初期化波形の印加電圧と初期化性能との関係について述べる。
図１４において、（ａ）にＰＤＰの駆動波形、（ｂ）に初期化が正常に行われたときの初期化後の壁電圧位置を示す。初期化波形は、前段と後段の鈍波からなる二段鈍波の場合を示している。
【００６４】
ここで言う「鈍波」とは「印加電圧が徐々に変化する波形」を意味するものとし、通常は電圧が徐々に増大する正鈍波や電圧が徐々に減少する負鈍波を指すが、それぞれの鈍波と定電圧波形とを組み合わせたもの、或いはさらにそれらを組み合わせたものなどを含む。またここで言う「徐々に変化する波形」の形状は、直線的に変化する波形と共に曲線的に変化する波形も含む（以下同様）。
【００６５】
後段の鈍波の振幅は、Ｘ電極側が＋ＶＲＸ、Ｙ電極側が−ＶＲＹだとする。初期化が正常に行われた場合、初期化後のセル電圧は「同時初期化点」にある。そこで、「同時初期化点」からＸＹ方向左側にＶＲＸ＋ＶＲＹ、ＡＹ方向下側にＶＲＹ移動した点が「初期化後壁電圧位置」ＰＷＶになる。なお、消灯セルの場合は、ＳＦ内で壁電圧がほとんど変化しないので、初期化に入る前と後の壁電圧位置はほぼ同じになり、それは上記の「初期化後壁電圧位置」ＰＷＶとほぼ同じ点になると考えられる。
【００６６】
初期化が正常行われるためには、最終段鈍波で放電が起こらなければならない。後段鈍波で放電が起こる領域は、上記の「初期化後壁電圧位置」ＰＷＶより右上の領域になる。
【００６７】
さらに最終鈍波で放電が起こっても、（Ｉ）ＡＹ間放電だけで同時放電まで進まない場合、（ＩＩ）ＸＹ間放電だけで同時放電まで進まない場合、（ＩＩＩ）ＡＹ間及びＸＹ間の同時放電まで進む場合、が考えられる。それぞれの領域を同図の中の符号Ｉ、ＩＩ、ＩＩＩで示す。ＸＹ間放電で書込まれる壁電圧ベクトルの方向は１／２、ＡＹ間放電では２なので、三つの領域は「初期化後壁電圧点」ＰＷＶを通る傾き２と傾き１／２の二つの直線で分けられる。
【００６８】
結局、後段鈍波に入る前に壁電圧点を図中の符号ＩＩＩの領域に移動した場合にのみ初期化が確実に行われる。この領域ＩＩＩを「同時初期化確定領域」と呼ぶことにする。
【００６９】
前述したように、初期化波形のＡＹ間印加電圧の振幅はＸＹ間印加電圧の振幅よりも小さくなりがちである。そのため前段鈍波でよほど大きな振幅の電圧をＹ電極に印加しないとＡＹ間放電に至らない。したがって、前段鈍波では、ＸＹ間放電によって点灯セルの壁電圧は傾き１／２の方向に移動することになる。
【００７０】
図１５は図１３の点灯セルの壁電圧点が前段鈍波のＸＹ間放電によって移動させられる図を示したものである。図中の符号（ａ）の場合、「サステイン動作線」と「同時初期化確定領域」とが交わり、点灯セルの壁電圧点１から「同時初期化確定領域」内の点１’へ移動することができ、ＰＤＰの初期化状態を良好なものとすることができる。
【００７１】
一方、図１５の中の符号（ｂ），（ｃ）の場合は、「サステイン動作線」が「同時初期化確定領域」とは交わらないため、ＸＹ間放電だけでは「同時初期化確定領域」へ壁電圧点を移動させることができない。
【００７２】
図１５（ｂ）及び（ｃ）に対するこのような問題を解決するためには、
（１）前段鈍波でＸＹ間放電及びＡＹ間放電の同時放電が起こるように、初期化の前段のＡＹ間印加電圧の振幅を強化する。振幅強化により、点灯セルの壁電圧位置は「セル電圧平面」上で上側に移動する、
（２）初期化波形の最終段鈍波の振幅を強化し、「同時初期化確定領域」の面積を増やし、「サステイン動作線」と「同時初期化確定領域」とが交わるようにする、又は
（３）サステイン期間の波形を工夫し、「サステイン動作線」を上側に移動させることにより、「同時初期化確定領域」と「サステイン動作線」とが交わるようにする。
【００７３】
ここで、（１）はＹ電極に印加する電圧振幅を増加させるか、Ａ電極に印加する電圧振幅を増加させることになる。しかし、通常は、ドライバの耐圧等の点からこれらの電圧が最大の値になるように設定されていることが多いため、それ以上の振幅強化は困難であろう。したがって、（２）又は（３）のように初期化波形の最終鈍波の振幅強化や、サステイン波形の工夫などを行うことにより、ＰＤＰの初期化状態を改善することがポイントになる。
【００７４】
以上の検討（特に図１４及び図１５における検討）により次のような結論を得た。
【００７５】
第１の結論は、図１５の符号（ａ）に示した関係を満足させるための条件式を導出したことである。
【００７６】
Ｙ電極を陰極とするＡＹ間放電の放電開始閾値電圧をＶｔＡＹ　、Ｙ電極を陰極とするＸＹ間放電開始閾値電圧をＶｔＸＹ　とし、しかも、初期化期間内の最終鈍波の電圧振幅において、Ｙ電極を基準とするＸＹ間印加電圧をＶＸＹ、Ｙ電極を基準とするＡＹ間印加電圧をＶＡＹとし、かつ、サステイン期間のサステインパルスにおいて、ＡＹ電極間に印加される交番パルスのオフセット電圧をＶａｏｆｆ（Ｙ電極を基準にする）としたとき、電圧関係が
２ＶｔＡＹ　−ＶｔＸＹ　≦２ＶＡＹ−ＶＸＹ−２Ｖａｏｆｆ
の関係式を満足するときに、「サステイン動作線」と「同時初期化確定領域」とが交わる。以後、この関係式を「初期化条件式」と呼ぶものとする。
【００７７】
この「初期化条件式」を満足するように駆動波形の電圧やＰＤＰの閾値特性などを選定したときに、ＰＤＰの初期化状態を良好なものとすることができる。
【００７８】
また、この「初期化条件式」の左辺のＶｔＡＹ　やＶｔＸＹ　などのＰＤＰの放電開始閾値電圧に関しては、上記関係式を導出する基本となった「六角形のＶｔ　閉曲線」を形成する条件として、
ＶｔＡＹ　＋ＶｔＸＡ　−ＶｔＸＹ　＞０、または
ＶｔＹＡ　＋ＶｔＡＸ　−ＶｔＹＸ　＞０
の式を満足することが必要である。これらの追加条件式を上記「初期化条件式」と共に満足させることにより、良好な初期化状態を実現することができる。
【００７９】
なお、以上の説明においては初期化用の鈍波として二つの鈍波を用いて説明したが、上記の関係式を満足するような鈍波であれば、一つであっても、三つ以上であってもよい。二つの場合には、一つの場合よりも初期化条件式を満足させやすいものとなり、三つ以上のものよりも初期化に要する時間を短くできるという特徴があるが、これらは設計関連事項である。
【００８０】
上記の検討の第２の結論は、図１５の符号（ｂ）及び（ｃ）の状態を符号（ａ）の状態に改善するために、初期化波形の最終鈍波の振幅強化や、サステイン波形の工夫などにより、上記の「初期化条件式」を満足させることである。これが次に示す第２グループの発明に対応する。
【００８１】
上記の課題を解決するために、本願の第２グループの発明は、上記の初期化条件式を満足させるように駆動波形を工夫することを特徴とする。（請求項５〜請求項１４に対応）
先ず、請求項５記載のＰＤＰの駆動方法は、基板上に配設された複数のＹ電極と、複数のＹ電極の各々の電極間に配設された複数のＸ電極と、それらの電極と交差する複数のＡ電極とを有するＰＤＰに対して、初期化期間と、アドレス期間と、サステイン期間とを循環的に設けるとともに、初期化期間に鈍波波形を印加して駆動するに際し、サステイン期間にＸ電極及びＹ電極のそれぞれに印加するサステインパルスは、その期間の少なくとも前側において所定の基準電位の両側に振動する交番パルスを含み、その期間の末尾部分において基準電位から正電圧側に印加されるパルスを含むことを特徴とする。
【００８２】
なお、ここで記載した「基板上に配設された複数のＹ電極と・・・鈍波波形を印加して駆動するに際し」の内容は、以後「本発明のＰＤＰの鈍波駆動に際し」という記載によりこの内容を引用するものとする。
【００８３】
次に、請求項６記載の駆動方法は、本発明のＰＤＰの鈍波駆動に際し、サステイン期間にＡ電極に印加する波形は、その期間の少なくとも末尾部分において、所定の基準電位から負電圧側に印加した定電圧波形を含むことを特徴とする。
【００８４】
請求項７記載の駆動方法は、請求項６記載の駆動方法において、Ａ電極に印加する波形は、サステイン期間の全てに渡って所定の基準電位から負電圧側に印加した定電圧波形とすることを特徴とする。
【００８５】
請求項８記載の駆動方法は、請求項６記載の駆動方法において、Ａ電極に印加する波形は、サステイン期間の少なくとも前側において所定の基準電位のレベルに設定した定電圧波形を含み、その期間の末尾部分において基準電位から負電圧側に印加した定電圧波形を含むことを特徴とする。
【００８６】
請求項９記載の駆動方法は、請求項７または８のいずれかに記載の駆動方法において、基準電位をグランドレベルとし、サステイン期間にＸ電極及びＹ電極のそれぞれに印加するサステインパルスは、グランドレベルの両側に振動する交番パルスであることを特徴とする。
【００８７】
請求項１０記載の駆動方法は、請求項７または８のいずれかに記載の駆動方法において、基準電位をグランドレベルとし、サステイン期間にＸ電極及びＹ電極のそれぞれに印加するサステインパルスは、グランドレベルから正電圧側に印加した交番パルスであることを特徴とする。
【００８８】
請求項１１記載の駆動方法は、本発明のＰＤＰの鈍波駆動に際し、サステイン期間にＡ電極に印加する波形は、その期間の少なくとも前側において所定の基準電位から正電圧側に印加した定電圧波形を含み、その期間の末尾部分において基準電位のレベルの定電圧波形を含むことを特徴とする。
【００８９】
請求項１２記載の駆動方法は、本発明のＰＤＰの鈍波駆動に際し、初期化期間にＡ電極に印加する波形は、その期間の末尾部分において所定の基準電位から正電圧側に印加した定電圧波形を含むことを特徴とする。
【００９０】
請求項１３記載の駆動方法は、請求項１、５、６、１１または１２のいずれかに記載の駆動方法において、初期化期間にＸ電極またはＹ電極の少なくとも一方に印加する鈍波波形は、正の傾斜部を持つ第１鈍波と負の傾斜部を持つ第２鈍波とを含むことを特徴とする。
【００９１】
請求項１４記載の駆動方法は、請求項１３記載の駆動方法において、初期化期間に、Ｙ電極に対して第１鈍波と第２鈍波とを含む波形を印加するとともに、Ｘ電極に対して第１鈍波と第２鈍波とのそれぞれに対応して各々の逆極性となる定電圧を印加することを特徴とする。
【００９２】
上記の課題を解決するために、本願の第３グループの発明は、２種類の初期化放電を共に発生させるように駆動波形の印加電圧を設定することにより、ＰＤＰの良好な初期化状態を実現する。
【００９３】
そのために、請求項１５記載の駆動方法は、本発明のＰＤＰの鈍波駆動に際し、初期化期間の末尾部分のＡ電極及びＹ電極間の電圧と、末尾部分のＸ電極及びＹ電極間の電圧と、サステイン期間の末尾部分のＡ電極及びＹ電極間の印加電圧のオフセット電圧との３種類の電圧の内の少なくとも１種類の電圧を所定のレベルに設定して、初期化期間の末尾部分において、Ｘ電極及びＹ電極間の放電と、Ａ電極及びＹ電極間の放電との２種類の放電を共に発生させることを特徴とする。
【００９４】
なお、上記の請求項５〜請求項１４記載の駆動方法については、「発明の実施の形態」の欄でその内容を詳述する。
【００９５】
【発明の実施の形態】
以下に、初期化状態を良好にし或いは初期化用駆動波形の条件を緩和又は改良するための種々の駆動波形や、それらの駆動波形に対して上記の初期化条件式を満足させるための具体的内容などについて説明する。
【００９６】
なお、以下の説明に用いる各々の図において、初期化条件式の具体的内容を、図中に「条件式：・・・」として表記した。
【００９７】
（第１実施形態）
第１実施形態の駆動波形と初期化条件式とを、図１６を参照して説明する。
【００９８】
本実施形態では、サステイン期間においてＸ電極とＹ電極に±ＶＳ　／２のパルス列が印加され、Ａ電極の電位はＧＮＤ電位に固定される。電極間の電圧で見ると、ＸＹ電極間には±ＶＳ　の交番波形が印加され、ＡＹ電極間には±ＶＳ　／２の交番波形が印加されることになる。サステイン期間のＡＹ間印加電圧（従って、ＡＹ間壁電圧）のオフセットはゼロである。
【００９９】
本実施形態における初期化条件式は、
２ＶｔＡＹ　−ＶｔＸＹ　≦ＶＹＲ−ＶＸＲ
となる。放電開始閾値電圧の典型的なＶｔＡＹ　は約２００Ｖ、ＶｔＸＹ　は約２３０Ｖであるので、
２ＶｔＡＹ　−ＶｔＸＹ　＝１７０Ｖ
となる。そこで、
ＶＹＲ−ＶＸＲ
を１７０Ｖ以上になるように設定することにより、最終鈍波で「ＸＹ・ＡＹ同時放電」を発生させると共に、初期化完了後には点灯セル・消灯セルのＸＹ間壁電圧とＡＹ間壁電圧とをそれぞれ揃えることができる。
【０１００】
（第２実施形態）
第２実施形態の駆動波形と初期化条件式とを、図１７を参照して説明する。
【０１０１】
サステイン駆動波形はＸ電極とＹ電極に０からＶＳ　の交番パルスを印加し、アドレス電極の電位はゼロに固定する。初期化波形の後段鈍波部のＸ電極の印加電圧の振幅ＶＸＲと、Ｙ電極の印加電圧の振幅−ＶＹＲとが、
２ＶｔＡＹ　−ＶｔＸＹ　≦ＶＹＲ−ＶＸＲ＋ＶＳ　
の初期化条件式を満たすと、「同時初期化確定領域」と「サステイン動作線」とが、図１５の（ａ）の関係になる。
【０１０２】
第１実施形態の場合と同様にして、通常は
２ＶｔＡＹ　−ＶｔＸＹ　＝１７０Ｖ
であるので、
ＶＹＲ−ＶＸＲ＋ＶＳ　
を１７０Ｖ以上になるように設定することにより、最終鈍波で「ＸＹ・ＡＹ同時放電」を発生させると共に、初期化完了後には点灯セル・消灯セルのＸＹ間壁電圧とＡＹ間壁電圧とをそれぞれ揃えることができる。
【０１０３】
第１実施形態の場合と比較すると、初期化条件式の右辺に「＋ＶＳ　」の項がある分だけ、初期化条件が好ましいものとなる。
【０１０４】
換言すれば、本実施形態では、第１実施形態に比べて、サステイン期間のＡＹ間印加電圧（従って、ＡＹ間壁電圧）にオフセットがある点に特徴がある。サステイン期間中のＡＹ間印加電圧は−ＶＳ　／２のオフセット（従ってＡＹ間壁電圧は＋ＶＳ　／２のオフセット）を持ち、このオフセット電圧により初期化期間の第一または第二の鈍波波形の電圧振幅を低減させることができる。
【０１０５】
（第３実施形態）
第３実施形態の駆動波形と初期化条件式とを、図１８を参照して説明する。本実施形態は、第１実施形態の駆動波形をベースにしてそのサステイン期間の末尾の数パルスの部分に第２実施形態のサステインパルスを適用したものと見做すことができる。
【０１０６】
サステイン駆動波形は、サステイン期間の終了直前までＸ電極とＹ電極に±ＶＳ１／２の交番パルスを印加し、終了までの数パルスに０からＶＳ２の交番パルスを印加する。アドレス電極の電位はゼロに固定する。
【０１０７】
初期化波形の後段鈍波部のＸ電極の印加電圧の振幅ＶＸＲと、Ｙ電極の印加電圧の振幅−ＶＹＲと、上記のＶＳ２とが、
２ＶｔＡＹ　−ＶｔＸＹ　≦ＶＹＲ−ＶＸＲ＋ＶＳ２
の初期化条件式を満たすと、「同時初期化確定領域」と「サステイン動作線」とが、図１５の（ａ）の関係になる。
【０１０８】
第１実施形態の場合と同様にして、通常は
２ＶｔＡＹ　−ＶｔＸＹ　＝１７０Ｖ
であるので、
ＶＹＲ−ＶＸＲ＋ＶＳ２
を１７０Ｖ以上になるように設定することにより、最終鈍波で「ＸＹ・ＡＹ同時放電」を発生させると共に、初期化完了後には点灯セル・消灯セルのＸＹ間壁電圧とＡＹ間壁電圧とをそれぞれ揃えることができる。
【０１０９】
第２実施形態の初期化条件式のＶＳ　をＶＳ２に置き換えれば同等の式になることから、ＶＳ　＝ＶＳ２とすればいずれの場合も同等の初期化効果を奏するものとなる。
【０１１０】
本実施形態では、サステイン期間の末尾部分のパルスにおいて、ＡＹ間印加電圧のオフセットが負になる波形を利用して、ＡＹ間壁電圧のオフセットを正にする。サステイン期間前半のＡＹ間印加電圧のオフセットはゼロであるが、末尾部分のパルス列のＡＹ間印加電圧のオフセットを負にしている。このサステイン期間末尾部分のパルス列により、初期化期間に入る直前のＡＹ間壁電圧のオフセットが正になり、初期化波形の第一または第二の鈍波の電圧振幅を低減させることができる。
【０１１１】
（第４実施形態）
第４実施形態の駆動波形と初期化条件式とを、図１９を参照して説明する。本実施形態は、特にサステイン期間のＡ電極の駆動波形の改良に関する。
【０１１２】
サステイン駆動波形はＸ電極とＹ電極に振幅±ＶＳ　／２の交番パルスを印加し、アドレス電極の電位は負（−ＶＡ　）に固定する。初期化波形の後段鈍波部のＸ電極の印加電圧の振幅ＶＸＲと、Ｙ電極の印加電圧の振幅−ＶＹＲと、上記アドレス電極の電位−ＶＡ　とが、
２ＶｔＡＹ　−ＶｔＸＹ　≦ＶＹＲ−ＶＸＲ＋２ＶＡ　
の初期化条件式を満たすと、「同時初期化確定領域」と「サステイン動作線」とが、図１５の（ａ）の関係になる。
【０１１３】
第１実施形態の場合と同様にして、通常は
２ＶｔＡＹ　−ＶｔＸＹ　＝１７０Ｖ
であるので、
ＶＹＲ−ＶＸＲ＋２ＶＡ　
を１７０Ｖ以上になるように設定することにより、最終鈍波で「ＸＹ・ＡＹ同時放電」を発生させることができると共に、初期化完了後には点灯セル・消灯セルのＸＹ間壁電圧とＡＹ間壁電圧とをそれぞれ揃えることができる。
【０１１４】
本実施形態は、第１実施形態と比べたとき、初期化条件式の右辺に「＋２ＶＡ　」がある点に特徴がある。第２実施形態のときの「＋ＶＳ　」、第３実施形態のときの「＋ＶＳ２」と同様に、その項（＋２ＶＡ　）がある分だけ、初期化条件が好ましいものとなる。
【０１１５】
本実施形態では、サステイン期間のＡ電極の電位を負にすることによって、サステイン期間に溜まるＡＹ間壁電圧のオフセットを正にし、これにより初期化期間に入る直前のＡＹ間壁電圧のオフセットが正になるため、初期化波形の第一または第二の鈍波の電圧振幅を低減させることができる。
【０１１６】
（第５実施形態）
第５実施形態の駆動波形と初期化条件式とを、図２０を参照して説明する。本実施形態は、第２実施形態の駆動波形に第４実施形態のＡ電極の駆動波形を組み合わせたものと見做すことができる。
【０１１７】
サステイン駆動波形はＸ電極とＹ電極に０からＶＳ　の交番パルスを印加し、アドレス電極の電位は負（−ＶＡ　）に固定する。初期化波形の後段鈍波部のＸ電極印加電圧の振幅ＶＸＲと、Ｙ電極印加電圧の振幅−ＶＹＲと、上記アドレス電極の電位−ＶＡ　とが、
２ＶｔＡＹ　−ＶｔＸＹ　≦ＶＹＲ−ＶＸＲ＋２ＶＡ　＋ＶＳ　
の初期化条件式を満たすと、「同時初期化確定領域」と「サステイン動作線」とが、図１５の（ａ）の関係になる。
【０１１８】
第１実施形態の場合と同様にして、通常は
２ＶｔＡＹ　−ＶｔＸＹ　＝１７０Ｖ
であるので、
ＶＹＲ−ＶＸＲ＋２ＶＡ　＋ＶＳ　
を１７０Ｖ以上になるように設定することにより、最終鈍波で「ＸＹ・ＡＹ同時放電」を発生させると共に、初期化完了後には点灯セル・消灯セルのＸＹ間壁電圧とＡＹ間壁電圧とをそれぞれ揃えることができる。
【０１１９】
本実施形態を第２実施形態と比べると、右辺に更に「＋２ＶＡ　」の項がある点に特徴があり、その分だけ初期化条件が好ましいものとなる。
【０１２０】
（第６実施形態）
第６実施形態の駆動波形と初期化条件式とを、図２１を参照して説明する。
【０１２１】
サステイン駆動波形はＸ電極とＹ電極に０からＶＳ　の交番パルスを印加する。サステイン期間の大部分においてアドレス電極（Ａ電極）の電位は＋ＶＡ　であるが、サステイン期間の末尾部分の数パルスに対応するＡ電極の電位をゼロに固定する。
【０１２２】
ここで、サステイン期間のアドレス電極の電位を＋ＶＡ　とするのは、アドレス期間からサステイン期間への移行時にその移行動作を安定化するのに有効である。しかし、そのままでは初期化条件が不利になるため（その理由は後述）、末尾部分の数パルスに対応するＡ電極の電位をゼロに固定する。
【０１２３】
このとき、初期化波形の後段鈍波部のＸ電極印加電圧の振幅ＶＸＲと、Ｙ電極印加電圧の振幅−ＶＹＲとが、
２ＶｔＡＹ　−ＶｔＸＹ　≦ＶＹＲ−ＶＸＲ＋ＶＳ　
の初期化条件式を満たすと、「同時初期化確定領域」と「サステイン動作線」とが、図１５の（ａ）の関係になる。
【０１２４】
第１実施形態の場合と同様にして、通常は
２ＶｔＡＹ　−ＶｔＸＹ　＝１７０Ｖ
であるので、
ＶＹＲ−ＶＸＲ＋ＶＳ　
を１７０Ｖ以上になるように設定することにより、最終鈍波で「ＸＹ・ＡＹ同時放電」を発生させることができると共に、初期化完了後には点灯セル・消灯セルのＸＹ間壁電圧とＡＹ間壁電圧とをそれぞれ揃えることができる。
【０１２５】
この初期化条件式から明らかなように、本実施形態の初期化状態は、実質的に第２実施形態の場合と同等である。
【０１２６】
なお、もしもサステイン期間の末尾部分のＡ電極の電位を前半部分と同様に＋ＶＡ　となるように設定した場合には、上記の初期化条件式の右辺に「−２ＶＡ　」が加わることになり、その分だけ初期化条件が不利になるということに注意する必要がある。
【０１２７】
（第７実施形態）
第７実施形態の駆動波形と初期化条件式とを、図２２を参照して説明する。本実施形態は、第１実施形態と第４実施形態の中間的な実施形態に相当するものである。
【０１２８】
サステイン駆動波形はＸ電極とＹ電極に±ＶＳ　の交番パルスを印加する。サステイン期間の大部分においてアドレス電極（Ａ電極）の電位は０であるが、サステイン期間の末尾部分の数パルスに対応するＡ電極の電位を−ＶＡ　に固定する。このように末尾部分のＡ電極の電位を−ＶＡ　に固定するのは、初期化条件を良好なものに改善するためであることが次の初期化条件式から分かる。
【０１２９】
初期化波形の後段鈍波部のＸ電極印加電圧の振幅ＶＸＲと、Ｙ電極印加電圧の振幅−ＶＹＲと、上記アドレス電極の電位−ＶＡ　とが、
２ＶｔＡＹ　−ＶｔＸＹ　≦ＶＹＲ−ＶＸＲ＋２ＶＡ　
の初期化条件式を満たすと、「同時初期化確定領域」と「サステイン動作線」とが、図１５の（ａ）の関係になる。
【０１３０】
第１実施形態の場合と同様にして、通常は
２ＶｔＡＹ　−ＶｔＸＹ　＝１７０Ｖ
であるので、
ＶＹＲ−ＶＸＲ＋２ＶＡ　
を１７０Ｖ以上になるように設定することにより、最終鈍波で「ＸＹ・ＡＹ同時放電」を発生させることができると共に、初期化完了後には点灯セル・消灯セルのＸＹ間壁電圧とＡＹ間壁電圧とをそれぞれ揃えることができる。
【０１３１】
本実施形態を第１実施形態と比べると、右辺に更に「＋２ＶＡ　」の項がある点に特徴があり、その分だけ初期化条件が好ましいものとなる。（また、この初期化条件式は第４実施形態のものと同等である。）
本実施形態では、サステイン期間の末尾部分のＡ電極電位を負にすることによって、サステイン期間に溜まるＡＹ間壁電圧オフセットを正にし、これにより初期化期間に入る直前のＡＹ間壁電圧のオフセットが正になるため、初期化波形の第一または第二の鈍波の電圧振幅を低減させることができる。
【０１３２】
（第８実施形態）
第８実施形態の駆動波形と初期化条件式とを、図２３を参照して説明する。本実施形態は、第２実施形態と第５実施形態の中間的な実施形態に相当するものである。
【０１３３】
サステイン駆動波形はＸ電極とＹ電極に０からＶＳ　の交番パルスを印加する。サステイン期間の大部分においてアドレス電極（Ａ電極）の電位は０であるが、サステイン期間の末尾部分の数パルスに対応するＡ電極の電位を−ＶＡ　に固定する。このように末尾部分のＡ電極の電位を−ＶＡ　に固定するのは、初期化条件を良好なものに改善するためであることが次の初期化条件式から分かる。
【０１３４】
初期化波形の後段鈍波部のＸ電極印加電圧の振幅ＶＸＲと、Ｙ電極印加電圧の振幅−ＶＹＲと、上記アドレス電極の電位−ＶＡ　とが、
２ＶｔＡＹ　−ＶｔＸＹ　≦ＶＹＲ−ＶＸＲ＋ＶＳ　＋２ＶＡ　
の初期化条件式を満たすと、「同時初期化確定領域」と「サステイン動作線」とが、図１５の（ａ）の関係になる。
【０１３５】
第１実施形態の場合と同様にして、通常は
２ＶｔＡＹ　−ＶｔＸＹ　＝１７０Ｖ
であるので、
ＶＹＲ−ＶＸＲ＋ＶＳ　＋２ＶＡ　
を１７０Ｖ以上になるように設定することにより、最終鈍波で「ＸＹ・ＡＹ同時放電」を発生させることができると共に、初期化完了後には点灯セル・消灯セルのＸＹ間壁電圧とＡＹ間壁電圧とをそれぞれ揃えることができる。
【０１３６】
本実施形態を第２実施形態と比べると、右辺に更に「＋２ＶＡ　」の項がある点に特徴があり、その分だけ初期化条件が好ましいものとなる。（また、この初期化条件式は第５実施形態のものと同等である。）
（第９実施形態）
第９実施形態の駆動波形と初期化条件式とを、図２４を参照して説明する。本実施形態は、初期化期間の中でＡ電極の電位をプラスに設定する点に特徴があり、この点において上記の第１実施形態〜第８実施形態とは異なるものである。
【０１３７】
図２４では、サステイン期間においてＸ電極とＹ電極に±ＶＳ　／２のパルス列が印加され、Ａ電極の電位はＧＮＤ電位に固定される。電極間の電圧で見ると、ＸＹ電極間には±ＶＳ　の交番波形が印加され、ＡＹ電極間には±ＶＳ　／２の交番波形が印加されることになる。そして、初期化期間の内の第２鈍波の印加期間に、Ａ電極をプラスの電位＋ＶＡＲに固定する。この＋ＶＡＲの印加により、初期化条件を良好なものに改善できることが、次の初期化条件式から分かる。
【０１３８】
初期化波形の後段鈍波部のＸ電極印加電圧の振幅ＶＸＲと、Ｙ電極印加電圧の振幅−ＶＹＲと、上記アドレス電極の電位＋ＶＡＲとが、
２ＶｔＡＹ　−ＶｔＸＹ　≦２ＶＡＲ＋ＶＹＲ−ＶＸＲ
の初期化条件式を満たすと、「同時初期化確定領域」と「サステイン動作線」とが、図１５の（ａ）の関係になる。
【０１３９】
第１実施形態の場合と同様にして、通常は
２ＶｔＡＹ　−ＶｔＸＹ　＝１７０Ｖ
であるので、
２ＶＡＲ＋ＶＹＲ−ＶＸＲ
を１７０Ｖ以上になるように設定することにより、最終鈍波で「ＸＹ・ＡＹ同時放電」を発生させることができると共に、初期化完了後には点灯セル・消灯セルのＸＹ間壁電圧とＡＹ間壁電圧とをそれぞれ揃えることができる。
【０１４０】
本実施形態を第１実施形態と比べると、右辺に更に「２ＶＡＲ」の項がある点に特徴があり、その分だけ初期化条件が好ましいものとなる。
【０１４１】
なお、図２４においては、Ａ電極に印加するプラスの電位＋ＶＡＲを、第２鈍波の印加期間に印加するものとしたが、第２鈍波の印加期間の末尾部分だけでも、初期化期間全体でもよい。少なくとも初期化期間の末尾部分でＡ電極をプラスの電位＋ＶＡＲに固定するものであればよい。
【０１４２】
また、図２４は第１実施形態に対応する場合を示したものであるが、この場合と同様に、第２実施形態〜第８実施形態の駆動波形に対して、初期化期間のＡ電極の電位を図２４と同様に設定することで、同様の効果を得ることができる。
【０１４３】
例えば、第５実施形態又は第８実施形態に対して初期化期間のＡ電極の電位を図２４と同様に設定した場合、その初期化条件式は、いずれも
２ＶｔＡＹ　−ＶｔＸＹ　≦２ＶＡＲ＋ＶＹＲ−ＶＸＲ＋ＶＳ　＋２ＶＡ　
となる。
【０１４４】
ここで、ＶＡＲとＶＡ　を同じ値に設定する場合、即ち
ＶＡＲ＝ＶＡ　
のとき、その初期化条件式は
２ＶｔＡＹ　−ＶｔＸＹ　≦ＶＹＲ−ＶＸＲ＋ＶＳ　＋４ＶＡ　
となる。
【０１４５】
この初期化条件式は、第５実施形態又は第８実施形態の右辺の「＋２ＶＡ　」が「＋４ＶＡ　」になったものと等価であり、第５実施形態又は第８実施形態の場合よりも更に「＋２ＶＡ　」増えた分だけ初期化条件が好ましいものとなる。
【０１４６】
なお、このように少なくとも初期化期間の末尾部分でＡ電極の電位をプラスの電位＋ＶＡＲに固定する駆動波形を用いる場合には、続くアドレス期間のアドレスパルスをこの＋ＶＡＲをベースにして印加することが必要になることを付言する。
【０１４７】
（Ｖｔ　閉曲線及び６種類の放電開始閾値電圧の測定方法）
例えば請求項１に示した式の左辺には、ＰＤＰの放電開始閾値電圧（ＶｔＡＹ　とＶｔＸＹ　）が含まれている。このような放電開始閾値電圧の測定方法を、図２５を参照して説明する。
【０１４８】
先ず、図２５（ａ）に示すように、ＰＤＰパネル１００の中の特定の表示電極Ｘ，走査電極Ｙ，アドレス電極Ａに測定用ドライバを接続し、それらの電極で決まるセルに対応する部分１０１（破線の丸印）からの発光を光プローブで観測する。
【０１４９】
次に、図２５（ｂ）に測定用ドライバの電圧波形を示す。測定用ドライバの電圧波形は、予めセルを一定の帯電状態にするために、所定の期間ＴＳＵＳ　、表示電極Ｘと走査電極Ｙに交番パルスを印加する。次に自己消去放電を利用したリセットを行い、セルの帯電状態をゼロにする。そのために図２５（ｂ）では表示電極Ｘに非常に大きな電圧パルス（初期化パルスＲＰ）を印加している。このように大きな電圧が印加された状態では、強い放電の発生により大量の壁電荷が形成される。そのパルスが立ち下がるときに各電極に印加される電圧はゼロになるが、直前の放電で発生した大量の壁電荷があることによってセル内に強い電界が発生し、その電界だけで放電が発生しその結果セル内の壁電荷が消滅する。この放電は自己消去放電と呼ばれている。上記の初期化パルスＲＰにより大きな自己消去放電が起こった後では、セル内の壁電荷はほぼ完全に消滅する。
【０１５０】
引き続き、放電開始閾値電圧を測定する。放電を開始するときのセル電圧を求めるために、３つの電極の内の一つに電圧が緩やかに上昇する波形（鈍波）を印加し、残りの２電極のいずれか一つに、広幅のパルス電圧ＯＰ（オフセットパルス）を印加する。残った他の一つの電極の電圧は接地電位に固定する。図２５（ｂ）では、走査電極Ｙに鈍波、アドレス電極ＡにオフセットパルスＯＰを印加し、表示電極Ｘを接地電位にした例を示す。
【０１５１】
駆動波形と発光波形Ｌとをオシロスコープで観測し、鈍波波形の印加期間中において、発光波形Ｌが初めて出力される時点を放電開始点（図中のｔｓｔａｒｔ　）として特定し、その時点の表示電極Ｘ、走査電極Ｙ及びアドレス電極Ａの駆動電圧値を読み取ることによりＸＹ間及びＡＹ間の電圧を求める。具体的には図中のＶｓｔａｒｔ　に対応するＸＹ間及びＡＹ間の電圧を求めることであり、この図ではそれぞれ−Ｖｓｔａｒｔ　とＶｏｆｆ　−Ｖｓｔａｒｔ　になる。そして、そのＸＹ間電圧を横軸、ＡＹ間電圧を縦軸にとった座標平面上に測定した値（−Ｖｓｔａｒｔ　とＶｏｆｆ　−Ｖｓｔａｒｔ　の点）をプロットする。
【０１５２】
自己消去放電を利用したリセットによりセル内の壁電圧はゼロになっているので、電極に印加する電圧がセル電圧と等しいものとなる。したがってプロットした点が「Ｖｔ　閉曲線」上の一点になる。オフセット電圧Ｖｏｆｆ　を変えながら、同様の測定を行うと、「Ｖｔ　閉曲線」の一部（図７に示した六角形の内の一つの辺）が測定できる。
【０１５３】
さらに、鈍波、オフセットパルス、接地電位を与える電極の組み合わせを変えて、同様の測定を行うと「Ｖｔ　閉曲線」全体を測定することができる。
【０１５４】
その結果として、例えば図７（ｂ）のような実測データを得ることができ、これを図７（ａ）に示した６種類の閾値電圧ＶｔＸＹ　、ＶｔＹＸ　、ＶｔＡＹ　、ＶｔＹＡ　、ＶｔＡＸ　、ＶｔＸＡ　と対応させることにより、それぞれの放電開始閾値電圧を得ることができる。
【０１５５】
また、上記の第１実施形態〜第９実施形態は、図１に示したタイプ（ＰＤＰ業界で広く使用され、各々の表示電極Ｘとその「片側」に隣接する走査電極Ｙとの間で維持放電を行うタイプ）のＰＤＰ及びその駆動方法に対する実施形態であるが、このタイプのＰＤＰに限定されるものではない。このタイプのＰＤＰの他に、特開平９−１６０５２５号公報に示されるタイプ（通称ＡＬＩＳと呼ばれ、各々の表示電極Ｘとその「両側」に隣接する走査電極Ｙとの間で維持放電を行うタイプ）などのＰＤＰ及びその駆動方法に対しても、同様にして、第１実施形態〜第９実施形態の発明を適用することができる。
【０１５６】
【発明の効果】
請求項１〜請求項１５記載のＰＤＰの駆動方法を用いることにより、直前のＳＦでの点灯セル又は消灯セルの状態に関わらず、ＰＤＰに対する良好な初期化を実現することができる。また、初期化用駆動波形の電圧条件を緩和することもできる。その結果、初期化に起因した表示の不具合を解消すると共に、ＰＤＰ装置の性能向上に寄与するところが大きい。
【図面の簡単な説明】
【図１】ＰＤＰの構造を示す分解斜視図
【図２】ＰＤＰの階調制御を説明する図
【図３】ＰＤＰの駆動波形を示す図
【図４】初期化の動作原理を説明する図
【図５】初期化期間における駆動波形と放電セルの動作を示す図
【図６】初期化波形印加時の壁電圧の振る舞い（正常な初期化のケース）を示す図
【図７】セル電圧平面とＶｔ閉曲線とを示す図
【図８】鈍波電圧を印加したときの壁電圧の移動を解析する方法を示す図
【図９】鈍波放電によって壁電圧が動く方向を示す図
【図１０】セル電圧平面を使った初期化時の動作解析を示す図
【図１１】初期化波形印加時の壁電圧の振る舞い（不十分な初期化のケース）を示す図
【図１２】サステイン電圧波形と点灯セルの壁電圧を示す図
【図１３】サステイン時の壁電圧位置を示す図
【図１４】最終段の鈍波で同時初期化が確実に行われる壁電圧領域を示す図
【図１５】点灯セルの同時初期化確定領域への移動を示す図
【図１６】第１実施形態の駆動波形を示す図
【図１７】第２実施形態の駆動波形を示す図
【図１８】第３実施形態の駆動波形を示す図
【図１９】第４実施形態の駆動波形を示す図
【図２０】第５実施形態の駆動波形を示す図
【図２１】第６実施形態の駆動波形を示す図
【図２２】第７実施形態の駆動波形を示す図
【図２３】第８実施形態の駆動波形を示す図
【図２４】第９実施形態の駆動波形を示す図
【図２５】Ｖｔ閉曲線及び放電開始閾値電圧の測定法を示す図
【符号の説明】
１０　前面基板
１１　Ｘ電極、表示電極、維持電極
１２　Ｙ電極、表示電極、走査電極
１３，２３　誘電体層
１４　保護層
２０　背面基板
２１　アドレス電極、Ａ電極
２５　隔壁、リブ
２６　蛍光体層
２６Ｒ，２６Ｇ，２６Ｂ　赤、緑、青の蛍光体層
１００　ＰＤＰ
【図１】
2004077644.tif 000003
【図２】
2004077644.tif 000004
【図３】
2004077644.tif 000005
【図４】
2004077644.tif 000006
【図５】
2004077644.tif 000007
【図６】
2004077644.tif 000008
【図７】
2004077644.tif 000009
【図８】
2004077644.tif 000010
【図９】
2004077644.tif 000011
【図１０】
2004077644.tif 000012
【図１１】
2004077644.tif 000013
【図１２】
2004077644.tif 000014
【図１３】
2004077644.tif 000015
【図１４】
2004077644.tif 000016
【図１５】
2004077644.tif 000017
【図１６】
2004077644.tif 000018
【図１７】
2004077644.tif 000019
【図１８】
2004077644.tif 000020
【図１９】
2004077644.tif 000021
【図２０】
2004077644.tif 000022
【図２１】
2004077644.tif 000023
【図２２】
2004077644.tif 000024
【図２３】
2004077644.tif 000025
【図２４】
2004077644.tif 000026
【図２５】
2004077644.tif 000027